(57)【要約】【課題】少なくとも発光源や該発光源を支持する部材を共通化し、該発光源の照射光を用いる照明構造を、機種ごとに異なる絵柄に簡便に対処し得るようにした遊技機を提供する。【解決手段】ＬＥＤ５６を一体に有するケース部材５９と、遊技盤３におけるセルシート５５の背面側にてケース部材５９を収容する空間部５４ａと、該空間部に収容された該ケース部材５９の前側に位置してＬＥＤ５６の照射光を所定の絵柄状に透過させる絵柄透光部６２ａ〜６２ｄとを設け、セルシート５５における少なくとも該絵柄透光部に対応する部位が光透過性を有し、所定の絵柄をセルシート５５の前側から視認可能に構成している。これにより、前面部５９ａに絵柄透光部６２ａ〜６２ｄを設ける場合、異なる絵柄の絵柄透光部をケース部材５９の前面部５９ａに設けるだけで機種ごとに対応させることができる。【選択図】図２
2008295831.tif 000002
【特許請求の範囲】
【請求項１】
盤面基板と、該盤面基板の前面に貼着されたセルシートと、を有する遊技盤を備え、該遊技盤の遊技領域に遊技球を打ち出して遊技してなる遊技機において、
発光源を一体に有するケース部材と、前記遊技盤における前記セルシートの背面側にて前記ケース部材を収容する空間部と、該空間部の前側に位置して前記発光源の照射光を所定の絵柄状に透過させる絵柄透光部と、を設け、
前記セルシートにおける少なくとも前記絵柄透光部に対応する部位が光透過性を有し、
前記所定の絵柄を前記セルシートの前側から視認可能に構成した、
ことを特徴とする遊技機。
【請求項２】
前記絵柄透光部が、前記ケース部材の前面部に形成されてなる、
請求項１記載の遊技機。
【請求項３】
前記絵柄透光部が、前記セルシートに形成されてなる、
請求項１記載の遊技機。
【請求項４】
前記絵柄透光部が、前記所定の絵柄を透過させるように該所定の絵柄の周囲を遮光処理されてなる、
請求項１ないし３のいずれか１項記載の遊技機。
【発明の詳細な説明】
【技術分野】
【０００１】
本発明は、パチンコ機等の遊技機に係り、特に、遊技盤の少なくとも一部を発光させるタイプの遊技機に用いて好適な絵柄表示構造に関する。
【背景技術】
【０００２】
一般に、遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
ところで、上記遊技盤は、木材等の盤面基板上にセルシートが貼着されて製造される。このような遊技盤を有するパチンコ機では、以下のような照明構造を備えたものが知られている。すなわち、該パチンコ機では、盤面基板における所定部分に貫通孔が形成され、盤面基板の遊技領域面に、絵柄等が描かれたセルシートが貼着され、更に、遊技盤の背面側に発光ダイオード（以下、ＬＥＤという）が設けられ、該ＬＥＤからの照射光がセルシートをその背面側から照明し、かつ該照射光が上記貫通孔を透過することで、絵柄等を遊技盤面上に浮かび上がらせるように構成されている。
【０００５】
また、このようなパチンコ機に対し、盤面基板の前面側にて上記貫通孔の開口を塞ぐ部位に、絵柄が描かれた着色セルシートを設け、かつ遊技盤の遊技領域面の裏面側に、ＬＥＤからの照射光を拡散させてセルシートの被照射箇所に射出する拡散部材を配置し、ＬＥＤの照射光を該拡散部材で拡散してセルシートの被照射箇所に射出し、該被照射箇所全体を均等に光らせるようにしたパチンコ機が案出されている（特許文献１参照）。当該パチンコ機では、セルシートの更に前側に、表面に種々の遊技部品や障害釘を有する透明樹脂板が設けられている。
【０００６】
【特許文献１】特開２００６−２１７９４８号公報
【発明の開示】
【発明が解決しようとする課題】
【０００７】
しかし、特許文献１に記載されるようなパチンコ機では、遊技盤面の絵柄が異なるものを機種ごとに作製しようとする場合、それに応じて、ＬＥＤを有する照明部の構造そのものを変更しなければならず、遊技盤面の絵柄が異なるものであっても僅かな変更で簡便に対処するようなことは困難であった。このため、遊技盤面の絵柄が異なる場合の照明構造の製造工程が煩雑になると共に、それに伴うコストアップを招く虞もあった。
【０００８】
そこで本発明は、少なくとも発光源や該発光源を支持する部材を共通化し、該発光源の照射光を用いる照明構造を、機種ごとに異なる絵柄に簡便に対処し得るようにし、もって上述した課題を解決した遊技機を提供することを目的とするものである。
【課題を解決するための手段】
【０００９】
請求項１に係る本発明は（例えば図１ないし図７参照）、盤面基板（５４）と、該盤面基板（５４）の前面に貼着されたセルシート（５５）と、を有する遊技盤（３）を備え、該遊技盤（３）の遊技領域（３ａ）に遊技球（Ｂａ）を打ち出して遊技してなる遊技機（１）において、
発光源（５６）を一体に有するケース部材（５９）と、前記遊技盤（３）における前記セルシート（５５）の背面側にて前記ケース部材（５９）を収容する空間部（５４ａ）と、該空間部（５４ａ）の前側に位置して前記発光源（５６）の照射光（Ｌ）を所定の絵柄状（例えば「ＧＯＧＯ」の文字状）に透過させる絵柄透光部（６２ａ，６２ｂ，６２ｃ，６２ｄ、又は６２′ａ，６２′ｂ，６２′ｃ，６２′ｄ）と、を設け、
前記セルシート（５５）における少なくとも前記絵柄透光部（６２ａ，６２ｂ，６２ｃ，６２ｄ、又は６２′ａ，６２′ｂ，６２′ｃ，６２′ｄ）に対応する部位が光透過性を有し、
前記所定の絵柄（例えば「ＧＯＧＯ」の文字）を前記セルシート（５５）の前側から視認可能に構成した、
ことを特徴とする遊技機（１）にある。
【００１０】
なお、本発明における上記「絵柄」は、文字や模様など、遊技機に付与されたテーマに関連した形状等を広く意味する概念である。
【００１１】
請求項２に係る本発明は（例えば図２ないし図５参照）、前記絵柄透光部（例えば６２ａ，６２ｂ，６２ｃ，６２ｄ）が、前記ケース部材（５９）の前面部（５９ａ）に形成されてなる、
請求項１記載の遊技機（１）にある。
【００１２】
請求項３に係る本発明は（例えば図６及び図７参照）、前記絵柄透光部（例えば６２′ａ，６２′ｂ，６２′ｃ，６２′ｄ）が、前記セルシート（５５）に形成されてなる、
請求項１記載の遊技機（１）にある。
【００１３】
請求項４に係る本発明は（例えば図２ないし図７参照）、前記絵柄透光部（６２ａ，６２ｂ，６２ｃ，６２ｄ、又は６２′ａ，６２′ｂ，６２′ｃ，６２′ｄ）が、前記所定の絵柄（例えば「ＧＯＧＯ」の文字）を透過させるように該所定の絵柄の周囲を遮光処理されてなる、
請求項１ないし３のいずれか１項記載の遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、発光源を一体に有するケース部材と、遊技盤におけるセルシートの背面側にてケース部材を収容する空間部と、該空間部の前側に位置して発光源の照射光を所定の絵柄状に透過させる絵柄透光部とを設け、セルシートにおける少なくとも絵柄透光部に対応する部位が光透過性を有し、所定の絵柄をセルシートの前側から視認可能に構成したので、例えばケース部材の前面部に絵柄透光部を設ける場合には、異なる絵柄の絵柄透光部をケース部材前面部に設けるだけで機種ごとに対応させることができ、また、例えばケース部材前方のセルシートに絵柄透光部を設ける場合には、異なる絵柄の絵柄透光部をセルシートに設けるだけで機種ごとに対応させることができる。このように、少なくともケース部材及び発光源を、異なる機種に共通して使用可能な兼用タイプとすることができるので、機種ごとに絵柄が異なってもそれに応じて照明構造全体を設計変更する必要がなく、製造工程を簡略化し、それに伴うコストダウンも期待することができる。また、セルシートにおける絵柄透光部に対応する部位が光透過性を有するので、絵柄透光部を透過する絵柄状の光を、遊技者に十分な光量で視認させることができる。
【００１６】
請求項２に係る本発明によると、絵柄透光部がケース部材の前面部に形成されるので、付与されたテーマが互いに異なる遊技機に対応する絵柄を遊技盤面上で光らせる場合に、前面部の絵柄形状を機種ごとに変更するだけで対処でき、従って、変更に要する工程が簡略化する。
【００１７】
請求項３に係る本発明によると、絵柄透光部がセルシートに形成されるので、付与されたテーマが互いに異なる遊技機に対応する絵柄を遊技盤面上で光らせる場合に、セルシートの絵柄形状を機種ごとに変更するだけで対処でき、従って、変更に要する工程が簡略化する。
【００１８】
請求項４に係る本発明によると、絵柄透光部が、所定の絵柄を透過させるように該所定の絵柄の周囲を遮光処理されているので、例えば、ケース部材前面部やセルシート裏面に遮光処理を施すだけで、所定の絵柄形状を明瞭に光透過させ得る構造を簡単に実現することができる。
【発明を実施するための最良の形態】
【００１９】
以下、本発明に係る遊技機の実施形態として、遊技場等に設置されるパチンコ機を図面に沿って説明する。なお、後述する実施の形態では、本発明の遊技機をいわゆる第１種特別電動役物を使用したパチンコ機として述べるが、本発明はこれに限らず、いわゆる第２種若しくは第３種特別電動役物等を使用したパチンコ機、又は他の種別のパチンコ機にも適用可能であることは勿論である。
【００２０】
＜第１の実施形態＞
図１は、本発明に係る実施の形態におけるパチンコ機の外部構造を示す正面図である。本パチンコ機１は、同図に示すように、発射ハンドル２の操作による不図示の発射装置の作動で遊技球（いわゆるパチンコ玉）を遊技盤３前面の遊技領域３ａに向かって打ち出しつつ遊技を行うもので、いわゆる確率変動等の大当たりが発生した状態でアタッカー５に入球した遊技球に対応する数の遊技球を払い出すように構成されている。
【００２１】
上記確率変動当たり（「確変当たり」とも言う）とは、抽選の結果、確変モードの大当たりが当選したとき、少なくとも当該確変モードによる遊技状態において、遊技者に有利な付加価値を付与し得る特殊状態を意味する。これに対し、当該特殊状態にならない大当たりとして「通常当たり」がある。
【００２２】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が、前扉７の遊技盤保持枠（図示せず）に対して開閉可能に取り付けられている。透明ガラス９の奥側には、遊技盤３が配設されている。前扉７における遊技盤３の左右には演出用照明装置１１が配設されており、前扉７における上部左右には、スピーカー（図示せず）を有する放音装置１２がそれぞれ配設されている。
【００２３】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技盤３側に案内するガイドレールを示している。また、本パチンコ機１には、遊技中に遊技領域３ａにて入賞することなく落下した遊技球をパチンコ機背面側に導く不図示のアウト口及びアウト球通路が設けられている。
【００２４】
そして、前扉７における遊技盤３の下方には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及びプリペイドカード返却ボタン１９ｂが設けられている。皿ユニット１６には、該皿ユニット１６上の遊技球を、皿ユニット１６下部の球排出口（図示せず）を通して下方に排出するための第１球抜きボタン２０ａと、皿ユニット１６上の遊技球を球供給口１７付近から上記球排出口を通して下方に排出するための第２球抜きボタン２０ｂとが設けられている。更に、皿ユニット１６の左下方には灰皿２１及び傾斜部１５が配設され、該傾斜部１５には遊技者参加ボタン（いわゆるチャンスボタン）２２が配設されている。
【００２５】
また、遊技領域３ａの中央部分には、ステージＳを有するセンター飾り２３が配設されている。センター飾り２３の左右下方には、それぞれ大当たり抽選に寄与しない一般の入賞が行われる一般入賞口２５，２６が配設されており、センター飾り２３の直下方には、始動チャッカー２７と、アタッカー５とが順次配設されている。
【００２６】
始動チャッカー２７は、大当たり抽選実行の契機となり得る入賞が行われるものであり、開放位置と閉止位置とに開閉動作するように作動させられる。該始動チャッカー２７の直上方には、いわゆる命釘としての一対の障害釘３０が打ち込まれている。
【００２７】
アタッカー５は、大当たり発生時に開放され、遊技領域３ａに打ち出されて転動落下する遊技球を入賞させるものであり、大当たり発生中、例えば、１回の開放で９個の入球を完了した時点で閉じ、当該開閉動作を１５回繰り返すように構成される。なお、これらの入球数並びに開閉動作の回数は、９個や１５回に限定されることはなく、設計に応じて適宜変更され得るものである。
【００２８】
遊技領域３ａには、センター飾り２３の四方に風車３１が配設されており、ステージＳの下方における始動チャッカー２７の左側に、普通図柄作動ゲート３２が配設されている。この普通図柄作動ゲート３２は、始動チャッカー２７を開閉動作させるための抽選の契機となる遊技球通過が行われる役物である。
【００２９】
遊技領域３ａ右上部には、遊技盤３から遊技中の遊技者に向けて光を発する盤面発光装置６２が配設されている。この盤面発光装置６２について詳しくは後述する。なお、本実施の形態では、図１に示すような遊技盤３の正面視右上部に位置するものを特に盤面発光装置６２として説明するが、遊技盤３上には、図示はしないがこれ以外にも同様の盤面発光装置６２が設けられる。
【００３０】
遊技領域３ａにおける普通図柄作動ゲート３２、一般入賞口２５，２６及び始動チャッカー２７等の周囲には、ステージＳから零れた遊技球や、発射されてからステージＳに関与せずに落下してくる遊技球を適宜散らし、或いは入球に導くようにするための障害釘３３を含む多数の障害釘が打ち込まれている。
【００３１】
上記センター飾り２３は、遊技盤３側に固定された画像表示装置３５を露出する開口３６を中央部に、ワープ導入口３７を左上部に、該ワープ導入口３７に連通する放出口４を左下部に、ステージＳを開口３６の下側に、球放出口４９を該ステージＳの中央下部にそれぞれ有している。また、ワープ導入口３７の対向位置には、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、ステージＳを介して入球させ又は該ステージＳを介さず直接入球させ得るように遊技が進められる。
【００３２】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３３】
ついで、遊技盤３に配置した盤面発光装置６２の構造及び該遊技盤３の構造について、図２ないし図５を参照して詳細に説明する。なお、図２は盤面発光装置６２の構造を分解した状態を遊技盤３の斜め前方から見た状態で示す斜視図、図３は盤面発光装置６２の構造を分解した状態を遊技盤３の斜め後方から見た状態で示す斜視図、図４は遊技盤３を盤面基板５４とセルシート５５とに分解した状態で示す斜視図、図５は遊技盤３の側面断面図である。
【００３４】
本実施形態のパチンコ機１は、図２ないし図５に示すように、複数のＬＥＤ（発光源）５６を一体に有するケース部材５９と、遊技盤３におけるセルシート５５の背面側にてケース部材５９を収容する空間部５４ａと、該空間部５４ａの前側に位置してＬＥＤ５６の照射光Ｌを所定の絵柄状（例えば「ＧＯＧＯ」の文字状）に透過させる絵柄透光部６２ａ，６２ｂ，６２ｃ，６２ｄと、を備え、セルシート５５の前側から上記所定の絵柄を視認可能に構成されている。なお、本実施形態における「絵柄」という語句は、文字や模様など、パチンコ機１に付与されたテーマに関連した形状等を広く意味する概念である。
【００３５】
すなわち、上記絵柄透光部６２ａ〜６２ｄを有する盤面発光装置６２は、図２及び図３に示すように、上記空間部５４ａを、遊技盤３の盤面基板５４の厚さ方向に貫通して備え、ケース部材５９を該空間部５４ａに嵌合した状態で備え、照明基板５７を、該ケース部材５９の背面側からネジ止めした形で備えている。上記空間部５４ａは、盤面基板５４の表裏を貫通するように形成されており、該盤面基板５４の前面側は遊技盤左右方向に長い楕円形状に開口され、遊技盤背面側は、空間部５４ａと凹部５３とが連通した開口５２とされている。ケース部材５９及び照明基板５７は、複数のＬＥＤ５６を支持する支持部材６０を構成している。該ＬＥＤ５６は、パチンコ機１に搭載された制御部（図示せず）により、発光強度や発光状態（点灯、点滅）等を制御されて発光駆動する。
【００３６】
上記ケース部材５９は、図２に示すように、「ＧＯＧＯ」の絵柄を表示した絵柄透光部６２ａ〜６２ｄが設けられた前面部５９ａと、該前面部５９ａの後方に延びる壁部５９ｂと、該壁部５９ｂの後端から外方に平板状に張り出すように形成されたブラケット部５９ｃ及び鍔部６１と、を有している。該ブラケット部５９ｃの中央には、ネジ穴５９ｄが形成されている。ケース部材５９は、全体が合成樹脂材からなり、絵柄透光部６２ａ〜６２ｄのみに良好な光透過性を持たせるように、「ＧＯＧＯ」の絵柄状部以外の部分の裏面が、遮光性の高い材料を用いて遮光処理されている。これにより、後部側に装着される照明基板５７に実装された複数のＬＥＤ５６の照射光が、絵柄透光部６２ａ〜６２ｄから効率良く射出される。
【００３７】
なお、上記遮光処理として、いわゆる銀止めを挙げることができる。銀止めは、スロットマシンの回胴リールそれぞれに絵柄を所定数（現行は２１個）ずつ描くための技術である。この技術では、まず、回胴リールを形成する透明フィルムに上記絵柄を印刷するが、そのままでは、透明フィルムにその裏側から受ける光が上記絵柄の周囲からも表側に透過するため、絵柄以外の部分（透過させたくない部分）の背面に黒やグレー等の暗い色の特殊塗料を塗布し、その部分からは光が表側に漏れないようにして、絵柄だけを視認し易くする。また、銀止め以外にも、遮光処理として蒸着、アルミニウム等の金属めっき、遮光性インキの塗布、などを挙げることができる。
【００３８】
上記遊技盤３は、図５に示すように、盤面基板５４と、該盤面基板５４の前面に貼着されたセルシート５５と、を有している。盤面基板５４の該セルシート５５の裏面に対向する位置には上記空間部５４ａが形成され、該空間部５４ａの内部後方には、照明基板５７に実装されてケース部材５９に一体化された複数のＬＥＤ５６が配置されている。セルシート５５は、キャブロイド（Ｒ）等からなるフィルム材７２と、該フィルム材７２の裏面に貼着された紙材７３と、から構成されている。該紙材７３は、半透明状のトレーシングペーパー、或いは、半透明ではない白紙などから構成される。なお、上記「フィルム材」という語句は、薄い膜状のシート等を意味する概念である。
【００３９】
上記セルシート５５は、絵柄透光部６２ａ〜６２ｄと対向する部位に光透過性を有している。すなわち、図４及び図５に示すように、該セルシート５５は、紙材７３における絵柄透光部６２ａ〜６２ｄに対向する部位に形成された貫通穴部７３ａと、フィルム材７２における少なくとも該貫通穴部７３ａに対向する部位に形成された透明状部７２ａと、を有している。なお、本実施形態における上記「フィルム材」という語句は、薄い膜状のシート等を意味する概念である。
【００４０】
また、図３に示すように、ケース部材５９が空間部５４ａに組み込まれる際、ブラケット部５９ｃが、空間部５４ａに連なって形成された凹部６３へと嵌合され、ブラケット部５９ｃに設けられたネジ穴５９ｄからネジ（図示せず）が螺入されてネジ止めされることで、ケース部材５９が遊技盤３に固定される。なお、凹部６３におけるネジ穴は図示を省略している。
【００４１】
ケース部材５９が空間部５４ａ内に挿入されて取り付けられると、鍔部６１及び照明基板５７は、凹部５３に嵌合されて該凹部５３を塞ぐようになる。鍔部６１及び照明基板５７は平板状に形成されているため、凹部５３を塞ぐと、凹部５３の内方に空間を形成して遊技盤３の背面と面一となる。また、壁部５９ｂにおける鍔部６１の前側には、切り欠き部６７が形成されている。ケース部材５９は、その背面側に照明基板５７がネジ止め固定された状態で、ＬＥＤ５６からの照射光Ｌ（図５参照）を遊技盤前側に透過させる。上記照明基板５７は、複数のＬＥＤ５６がその前方の絵柄透光部６２ａ〜６２ｄの各形状に沿った配置で実装され、該複数のＬＥＤ５６に通電するためのハーネス（電気的接続ケーブル）６９を有した状態で、ケース部材５９の後部にネジ止め固定される。
【００４２】
また、上述した支持部材６０が空間部５４ａに対応して配設されると、ケース部材５９が空間部５４ａと略々同形状に形成されていることから、空間部５４ａを形作る遊技盤３の内側面に接した状態に配設され、空間部５４ａを内方から支持するものとなる。上記照明基板５７は、ケース部材５９の後部に固定されることから、支持部材６０として空間部５４ａに配設されると、該空間部５４ａの背面側の開口５２を塞ぎ、遊技盤３の背面と略々面一の状態となる。
【００４３】
次に、本パチンコ機１による作用について説明する。すなわち、本パチンコ機１に対面して着座した遊技者が発射ハンドル２を握り、適宜の角度に回動操作すると、不図示の発射装置の作動で遊技球が所定の時間間隔で遊技領域３ａに向けて連続的に発射される。すると、遊技領域３ａに打ち出されて転動落下する多数の遊技球は、始動チャッカー２７や一般入賞口２５，２６に適時入賞し、或いは、これらに関与せずに転動落下して、遊技領域３ａ最下部のアウト口（図示せず）から遊技盤３の背面側に排出される。
【００４４】
つまり、遊技領域３ａに向けて打ち出された多数の遊技球Ｂａは、その一部がワープ導入口３７から導入されて放出口４からステージＳ上に放出される。そして、更にその一部が球放出口４９から放出されて始動チャッカー２７に向けて落下し、この始動チャッカー２７に高確率で入賞する。この際、障害釘３０への当接状況によっては、始動チャッカー２７に入賞できないこともある。一方、球放出口４９からではなくステージＳから直接に落下する遊技球もあり、このような遊技球は始動チャッカー２７と異なる方向に向かう。この際、当該遊技球は、始動チャッカー２７上の一対の障害釘３０の方向に落下せずとも、障害釘３０の左右に打ち込まれた所謂ジャンプ釘（図示せず）や、このジャンプ釘から左右方向に配列された道釘（図示せず）にて弾き返されることにより、障害釘３０に絡んで始動チャッカー２７に入球することもある。
【００４５】
ところで、上述のように始動チャッカー２７に遊技球が入賞すると、入賞判定に基づいて大当たり抽選が行われる。該抽選で当選した場合には、画像表示装置３５の画面上に、装飾図柄の組み合わせによる大当り抽選結果の報知がなされると共に、アタッカー５が開放され、該アタッカー５への入賞に応じた多量の遊技球が、球供給口１７から皿ユニット１６に払い出される。
【００４６】
上述のように大当りが決定した後、或いは、該大当たりが決定するまでの遊技の過程において、盤面発光装置６２は、制御部の制御に応じて、ＬＥＤ５６の発光強度や発光状態（点灯、点滅）等を変更させつつ発光駆動して、所定の発光演出を実行する。
【００４７】
以上説明したように、本実施の形態では、ＬＥＤ５６を一体に有するケース部材５９と、遊技盤３におけるセルシート５５の背面側にてケース部材５９を収容する空間部５４ａと、該空間部５４ａの前側に位置してＬＥＤ５６の照射光Ｌを所定の絵柄状に透過させる絵柄透光部６２ａ〜６２ｄとを設け、セルシート５５における絵柄透光部６２ａ〜６２ｄに対応する部位が光透過性を有し、所定の絵柄をセルシート５５の前側から視認可能に構成した。このため、ケース部材５９の前面部５９ａに絵柄透光部６２ａ〜６２ｄを設ける場合に、異なる絵柄の絵柄透光部をケース部材５９の前面部５９ａに設けるだけで機種ごとに対応させることができる。このように、少なくともケース部材５９及びＬＥＤ５６を、異なる機種に共通して使用可能な兼用タイプとすることができるので、機種ごとに絵柄が異なってもそれに応じて照明構造全体を設計変更する必要がなく、製造工程を簡略化し、それに伴うコストダウンも期待することができる。そして、セルシート５５における絵柄透光部６２ａ〜６２ｄに対応する部位が光透過性を有するので、該絵柄透光部６２ａ〜６２ｄを透過した絵柄状の光を、遊技者に十分な光量で視認させることができる。
【００４８】
また、本実施の形態では、絵柄透光部６２ａ〜６２ｄがケース部材５９の前面部５９ａに形成されるので、付与されたテーマが互いに異なるパチンコ機に対応する絵柄を遊技盤面上で光らせる場合に、前面部５９ａの絵柄形状を機種ごとに変更するだけで対処することができる。これにより、変更に要する工程が簡略化する。また、絵柄透光部６２ａ〜６２ｄが、所定の絵柄を透過させるように該所定の絵柄の周囲を遮光処理されているので、ケース部材５９の前面部５９ａに遮光処理を施すだけで、所定の絵柄形状を明瞭に光透過させ得る構造が簡単に実現する。
【００４９】
＜第２の実施形態＞
ついで、第１の実施形態を一部変更した第２の実施形態について図６及び図７を参照して説明する。図６は、第２の実施形態における盤面発光装置の構造を分解した状態を遊技盤の斜め前方から見た状態で示す斜視図、図７は、第２の実施形態におけるセルシート５５の一部を背面側から見た状態で示す背面図である。なお、本第２の実施形態において第１の実施形態と同様な部分は、同一符号を付してその説明を省略する。
【００５０】
すなわち、本第２の実施形態では、図６に示すように、ケース部材５９の前面部５９ａには開口部５９ｅのみが形成され、第１の実施形態における絵柄透光部６２ａ〜６２ｄに相当する絵柄透光部６２′ａ，６２′ｂ，６２′ｃ，６２′ｄは、セルシート５５に形成されている。つまり、セルシート５５における絵柄透光部６２′ａ〜６２′ｄに対応する部位は、光透過性を有する。
【００５１】
本第２の実施形態は、盤面基板５４に空間部５４ａが形成される点と、該空間部５４ａに対向して貫通穴部７３ａが形成される点とは第１の実施形態と同様であるが、本第２の実施形態にあっては、フィルム材７２には透明状部７２ａに代えて、所定の絵柄形状（例えば「ＧＯＧＯ」の文字状）に光透過する光透過部６２′ａ〜６２′ｄが、前述した銀止め等の遮光処理の技術を用いて形成されている。つまり、図７に示すように、光透過部６２′ａ〜６２′ｄの周囲を囲繞するように、遮光処理で遮光部６４が形成されている。
【００５２】
以上の本第２の実施形態によると、先の第１の実施形態と略々同様の効果を得ることができ、更に、ケース部材５９前方のセルシート５５に絵柄透光部６２’ａ〜６２’ｄを設けるため、異なる絵柄の絵柄透光部をセルシート５５に設けるだけで機種ごとに対応させることができるという効果も得ることができる。つまり、付与されたテーマが互いに異なるパチンコ機に対応する絵柄を遊技盤面上で光らせる場合に、セルシート５５の絵柄形状を機種ごとに変更するだけで対処できるという効果が得られる。これにより、変更に要する工程が簡単になる。また、絵柄透光部６２′ａ〜６２′ｄが、所定の絵柄を透過させるようにセルシート５５における該所定の絵柄の周囲を遮光処理されるので、セルシート５５の例えば裏面に遮光処理を施すだけで、所定の絵柄形状に光透過する本構成を実現することができる。
【００５３】
なお、前述した第１及び第２の実施形態では、セルシート５５における絵柄透光部６２ａ〜６２ｄに対応する部位、並びにセルシート５５における絵柄透光部６２′ａ〜６２′ｄに対応する部位にそれぞれ光透過性を有していたが、セルシート５５のこれらの部位以外に光透過性を有していても良いことは勿論である。
【００５４】
なお、図２に示した第１の実施形態と第２の実施形態の盤面発光装置を混合させた構成とすることも可能である。すなわち、例えば図２において、盤面基板５４の一部に、図６に示したような空間部５４ａを形成すると共に、セルシート５５の該空間部５４ａに対向する位置に、前述の銀止め等の遮光処理の技術を用いて光透過部６２′ａ〜６２′ｄを形成し、更にこれらの背面側に、開口部５９ｅのみを形成したケース部材５９を配置するのである。つまり、図３に示すように、照明基板５７で後部を閉塞されたケース部材５９は、そもそも遊技盤３の背面に複数個設けられるので、それらの何れかを第１の実施形態の構成とし、他を第２の実施形態の構成とするのである。或いは、図６において図２の構成を混在させることでも良い。これにより、互いの構成による利点を混在させた盤面発光装置が実現する。
【００５５】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５６】
【図１】本発明に係るパチンコ機の外部構造を示す正面図である。
【図２】本発明の第１の実施形態における盤面発光装置の構造を分解した状態を遊技盤の斜め前方から見た状態で示す斜視図である。
【図３】第１の実施形態における盤面発光装置の構造を分解した状態を遊技盤の斜め後方から見た状態で示す斜視図である。
【図４】第１の実施形態における遊技盤を盤面基板とセルシートとに分解した状態で示す斜視図である。
【図５】第１の実施形態における遊技盤の側面断面図である。
【図６】本発明の第２の実施形態における盤面発光装置の構造を分解した状態を遊技盤の斜め前方から見た状態で示す斜視図である。
【図７】第２の実施形態におけるセルシートの一部を背面側から見た状態で示す背面図である。
【符号の説明】
【００５７】
１    遊技機（パチンコ機）
３    遊技盤
３ａ    遊技領域
５４    盤面基板
５４ａ    空間部
５５    セルシート
５６    発光源（ＬＥＤ）
５９    ケース部材
５９ａ    前面部
６２ａ，６２ｂ，６２ｃ，６２ｄ    絵柄透光部
６２′ａ，６２′ｂ，６２′ｃ，６２′ｄ    絵柄透光部
Ｂａ    遊技球
Ｌ    照射光
【図１】
2008295831.tif 000003
【図２】
2008295831.tif 000004
【図３】
2008295831.tif 000005
【図４】
2008295831.tif 000006
【図５】
2008295831.tif 000007
【図６】
2008295831.tif 000008
【図７】
2008295831.tif 000009